(57)【特許請求の範囲】
【請求項１】
コードが挿入される孔が形成された第１のベースブラケットと、上記コードが挿入される孔が形成され上記第１のベースブラケットに摺動可能に保持される第２のベースブラケットと、上記第２のベースブラケットに形成されたネジ用孔と、上記第１のベースブラケットに形成されたネジ穴と、上記ネジ用孔に挿入し上記第１のベースブラケットのネジ穴に螺合して上記第１、第２のベースブラケットを固定するネジとを具備し、上記第１、第２のベースブラケットを上記ネジにより固定した状態で上記コードを上記第１のベースブラケットの孔、または上記第１、第２のベースブラケットの孔を介して挿入可能とした電子機器の取付装置。
【請求項２】
両側部が内側に折曲げられたガイド部を有する第２のベースブラケットと、両側部が内側に折曲げられたガイド部を有する第１のベースブラケットとからなり、第２のベースブラケットのガイド部を第１のベースブラケットのガイド部に挿入して摺動可能としてなる請求項１記載の電子機器の取付装置。
【請求項３】
両側部が内側に折曲げられたガイド部と中央部に突部が形成された第２のベースブラケットと、両側部が内側に折曲げられたガイド部と中央部に突部が形成された第１のベースブラケットとからなり、第２のベースブラケットのガイド部を第１のベースブラケットのガイド部に挿入して摺動可能とし、上記第２のベースブラケットに形成されたネジ用孔と、上記第１のベースブラケットに形成されたネジ穴とを利用して第１、第２のベースブラケットをネジ止めすることを特徴とする請求項１記載の電子機器の取付装置。
【請求項４】
第１、第２のベースブラケットの突部間の間隔を突部以外の間隔に対して大きくしてなる請求項３記載の電子機器の取付装置。
【発明の詳細な説明】
【０００１】
【発明の属する技術分野】
本発明は、車載用コンパクトディスク（ＣＤ）チェンジャー装置などの電子機器を取付ける電子機器取付装置に関する。
【０００２】
【従来の技術】
従来のＣＤチェンジャー装置の幅は機種により異なっていたため、このＣＤチェンジャー装置を自動車のトランク等に取付ける取付装置は機種毎に専用の取付装置を使用するものであった。
【０００３】
【発明が解決しようとする課題】
しかしながら、上記従来の電子機器の取付装置では、電子機器の機種毎に専用の取付装置を使用しなければならないという問題があった。
【０００４】
本発明は、上記従来の問題を解決するものであり、幅の異なる複数のＣＤチェンジャー装置など複数の電子機器に対して共用して使用することのできる電子機器の取付装置を提供することを目的とする。
【０００５】
【課題を解決するための手段】
本発明は、上記課題を解決するために、摺動可能な２つのベースブラケットを使用し、かつネジ止めの位置を変えることにより幅を調整可能とすることを特徴とするものである。
【０００６】
このように、本発明では、２つのベースブラケットのネジ止め位置を変えることにより幅の異なる電子機器を容易に取付けることができ、また第１、第２のベースブラケットのネジ止め位置を変えてもベースブラケットに形成した孔を通して中継コードを挿入できる利点を有するものである。
【０００７】
【発明の実施の形態】
本発明の請求項１に記載の発明は、コードが挿入される孔が形成された第１のベースブラケットと、上記コードが挿入される孔が形成され上記第１のベースブラケットに摺動可能に保持される第２のベースブラケットと、上記第２のベースブラケットに形成されたネジ用孔と、上記第１のベースブラケットに形成されたネジ穴と、上記ネジ用孔に挿入し上記第１のベースブラケットのネジ穴に螺合して上記第１、第２のベースブラケットを固定するネジとを具備し、上記第１、第２のベースブラケットを上記ネジにより固定した状態で上記コードを上記第１のベースブラケットの孔、または上記第１、第２のベースブラケットの孔を介して挿入可能としたものである。
【０００８】
以下、本発明の実施の形態について、図１から図６を用いて説明する。
（実施の形態１）
図１は、本発明の一実施の形態におけるＣＤチェンジャー取付点装置を示している。図１において、１は第１のベースブラケットであり、この第１のベースブラケットの両側部はほぼ直角に折り曲げられガイド部２、３を構成している。上記ガイド部２、３の一部は内側にさらに折曲げられている。４は第１のベースブラケット１の一端部側の中央部に形成された突部であり、この突部４にはネジ穴５が形成されている。６は第１のベースブラケット１の上記突部４の近傍に形成された角孔である。７は第１のベースブラケット１の他端部側に形成された折曲保持部であり、この折曲保持部７には長孔８が形成されている。
【０００９】
９は第２のベースブラケットであり、この第２のベースブラケット９の両側部はほぼ直角に折り曲げられガイド部１０、１１を構成している。上記ガイド部１０、１１の一部は内側にさらに折曲げられている。この第２のベースブラケット９の一端部側の中央には突部１２が形成されている。１３は突部１２の一部を切取ってなる角孔である。１４は上記突部１０の角孔１１の一端部側に形成された穴、１５Ａ、１５Ｂは上記突部１２の角孔１３の他端部側に形成された穴である。１６は第２のベースブラケット９の一端部側に形成されたＬ字状の折曲部であり、この折曲部１６にはネジ穴１７及び突片１８が形成されている。
【００１０】
１９は下部がＬ字状に折曲げられた第１のサイドブラケットであり、この第１のサイドブラケット１９のＬ字状折曲部には下方に突出した片２０が形成されている。上記第１のサイドブラケット１９を第１のベースブラケット１の折曲保持部７に上方より嵌合させると、第１のサイドブラケット１９の片２０が第１のベースブラケット１の長孔８に挿入され、時計方向の回動が規制される。２１は第２のサイドブラケットであり、この第２のサイドブラケット２１の下部の折曲部２２には孔２３、孔２４が形成されている。
【００１１】
上記第２のサイドブラケット２１の折曲部２２を第２のベースブラケット９の折曲部１６に載せると折曲部１６の突片１８が第２のサイドブラケット２１の孔２４に嵌合する。この状態でネジ２５を孔２３に挿入した後にネジ穴１７に螺合することにより、第２のサイドブラケット２１は第２のベースブラケット９の折曲部１６に固定される。
【００１２】
図１に示すように、第２のベースブラケット９の一端部のガイド部１０、１１を第１のベースブラケット１の端部のガイド部２、３に挿入すると、第２のベースブラケット９は第１のベースブラケット９のガイド部２、３に案内されて左右に摺動し、第１と第２のサイドブラケット１９、２１間の間隔が調整される。図２に示すように、ネジ２６を第２のベースブラケット９の孔１４に挿入した後に第１のベースブラケット１のネジ穴５に螺合した場合、第１、第２のサイドブラケット１９、２１間が最も長い取付装置となり、ＣＤチェンジャーに接続される中継コード２９は第１のベースブラケット１の角孔６を介して挿入できる。
【００１３】
図３に示すように、ネジ２６を第２のベースブラケット９の孔１５Ａに挿入した後に第１のベースブラケット１のネジ穴５に螺合した場合、第１、第２のサイドブラケット１９、２１間が中間の長さの取付装置となり、ＣＤチェンジャーに接続される中継コード２９は第１のベースブラケット１の角孔６及び第２のベースブラケット９の孔１３を介して挿入できる。図４に示すように、ネジ２６を第２のベースブラケット９の孔１５Ｂに挿入した後に第１のベースブラケット１のネジ穴５に螺合した場合、第１、第２のサイドブラケット１９、２１間が最も短い取付装置となり、ＣＤチェンジャーに接続される中継コード２９は第１のベースブラケット１の角孔６及び第２のベースブラケット９の孔１３を介して挿入できる。
【００１４】
ＣＤチェンジャーの幅に合わせて取付装置の幅を調整した後にネジ２６で第１、第２のベースブラケット１、９を互いに固定し、さらに第１、第２のベースブラケット１、９に形成された取付用孔２７を利用してベースブラケットをトランクルームの床などに取付ける。さらに第１、第２のサイドブラケット１９、２１に形成された取付用孔２８を利用してＣＤチェンジャーを第１、第２のサイドブラケット１９、２１ネジ止めするものである。図５は取付装置にＣＤチェンジャー３０を取付けた状態を示している。
【００１５】
図６は第１、第２のベースブラケット１、９の断面を示していうる。本実施の形態では、第１、第２のベースブラケット１、９の突部４、１２の間隔を突部４、１２以外の間隔より大きくしているため、ネジ２６により第１、第２のベースブラケット１、９をネジ止めする場合、図６（Ｂ）に示すように、第２のベースブラケット９のガイド部１０、１１が第１のベースブラケット１のガイド部２、３の内面に押し付けられることになり、第１、第２のベースブラケット１、９が強固に固定されガタが生じないものである。
【００１６】
なお、上記実施の形態１では、第２のベースブラケット９に２つのネジ用孔１５Ａ、１５Ｂを形成して取付装置の幅を可変可能としているが、第２のベースブラケット９に１つの長孔を形成し、取付装置の幅を連続的に可変可能とすることもできるものである。
【００１７】
【発明の効果】
以上のように本発明によれば、第１、第２のベースブラケットのネジ止め位置を変えることにより容易に幅の異なる電子機器を取付ることができる利点を有するとともに、どのようなネジ止め位置においても第１、第２のベースブラケットに形成された孔を通して電子機器に接続される中継コードを挿入できる利点を有するものである。
【図面の簡単な説明】
【図１】本発明の実施の形態１における電子機器の取付装置の分解斜視図
【図２】本発明の実施の形態１における第１の使用状態の斜視図
【図３】本発明の実施の形態１における第２の使用状態の斜視図
【図４】本発明の実施の形態１における第３の使用状態の斜視図
【図５】本発明の実施の形態１における電子機器の取付装置の取付状態を示す正面図
【図６】本発明の実施の形態１における電子機器の取付装置の要部の側断面図
【符号の説明】
１  第１のベースブラケット
２、 ３  ガイド部
４  突部
５  ネジ穴
６  角孔
９  第２のベースブラケット
１０、１１  ガイド部
１２  突部
１３  角孔
１４、１５Ａ、１５Ｂ  孔
【図１】
0003807015.tif 000002
【図２】
0003807015.tif 000003
【図３】
0003807015.tif 000004
【図４】
0003807015.tif 000005
【図５】
0003807015.tif 000006
【図６】
0003807015.tif 000007